(57)【要約】【課題】本技術は、概して、リング固定器ならびに関連するシステム及び方法に関する。【解決手段】一部の実施形態では、例えば、リング固定器アセンブリが、骨折した骨を囲むように構成されたリングと、リング上の第１の位置に配置された保持装置と、リング上の第２の位置に配置されたテンショナクランプとを備える。ワイヤは、保持装置とテンショナクランプとの間に延伸する。テンショナクランプは、テンショナクランプに対してワイヤを所定位置に固定するように構成された第１のネジと、追加の張力をワイヤに適用するように構成された第２のネジとを含む。【選択図】図２
2017159036.tif 000002
【特許請求の範囲】
【請求項１】
リング固定器アセンブリであって、
骨を囲むように構成されたリングと、
前記リング上の第１の位置に配置された保持装置と、
前記リング上の第２の位置に配置されたテンショナクランプと、
前記保持装置と前記テンショナクランプとの間に延伸するワイヤと、を備え、
前記テンショナクランプが、前記テンショナクランプに対して前記ワイヤを所定位置に固定するように構成された締付部材と、前記ワイヤに張力を適用するように構成された張力部材と、を備える、リング固定器アセンブリ。
【請求項２】
前記締付部材が、締付ネジを備え、前記張力部材が、張力ネジを備え、前記締付ネジ及び前記張力部材が、単一のドライバによって制御されるように構成される、請求項１に記載のリング固定器アセンブリ。
【請求項３】
前記テンショナクランプが、締付アセンブリを囲む筐体を備え、前記締付アセンブリが、
コレット筐体と、
前記コレット筐体内に少なくとも部分的に受容されたコレットと、を備え
前記ワイヤが、前記コレット内の中央開口を通過し、
前記締付部材が、前記締付ネジの回転により前記コレットが前記コレット筐体に引き込まれ、それによって前記ワイヤを締め付けるように、前記コレットと螺着可能に係合された締付ネジを備え、
前記張力部材が、前記張力ネジの回転により前記締付アセンブリが前記保持装置から引き離され、それによって前記ワイヤに張力を適用するように、前記筐体と螺着可能に係合され、かつ前記締付アセンブリに連結された張力ネジを備える、請求項１に記載のリング固定器アセンブリ。
【請求項４】
前記コレットが、前記コレット筐体に引き込まれたときに圧縮し、それによって前記ワイヤを締め付ける、圧縮可能な端部を備える、請求項３に記載のリング固定器アセンブリ。
【請求項５】
前記張力ネジが、前記締付ネジと同軸上にある、請求項３に記載のリング固定器アセンブリ。
【請求項６】
前記テンショナクランプが、締付アセンブリを囲む筐体を備え、前記締付アセンブリが、
それを通して前記ワイヤを受容する中央開口を有するクランプ本体と、
前記クランプ本体内のアパーチャであって、前記中央開口を横断するアパーチャと、を備え、
前記締付部材が、止めネジの回転により前記ワイヤに圧力を適用し、それによって前記ワイヤを前記クランプ本体内に締め付けるように、前記アパーチャ内に螺着可能に受容された前記止めネジを備え、
前記張力部材が、張力ナットの回転により前記締付アセンブリが前記保持装置から引き離され、それによって前記ワイヤに張力を適用するように、前記締付アセンブリと螺着可能に係合され、かつ前記筐体に連結された前記張力ナットを備える、請求項１に記載のリング固定器アセンブリ。
【請求項７】
前記筐体内にあり、かつ前記クランプ本体の一部を囲むバネであって、前記クランプ本体を前記張力ネジから離して付勢するように構成されたバネをさらに備える、請求項６に記載のリング固定器アセンブリ。
【請求項８】
前記リングが、
第１のリング部と、
第２のリング部と、
前記第１のリング部を前記第２のリング部に解放可能に連結する迅速接続アセンブリと、を備える、請求項１に記載のリング固定器アセンブリ。
【請求項９】
前記迅速接続アセンブリが、前記第１のリング部の端上に配置された第１の磁気的機構と、前記第２のリング部の端上に配置された第２の磁気的機構と、を備え、前記第１及び第２の磁気的機構が、共に磁気的に接合されるように構成される、請求項８に記載のリング固定器アセンブリ。
【請求項１０】
前記リングに連結され、かつ前記リングから径方向に内向きに延伸したスペーサであって、前記リングを患者の手足の周りに配置したときに、患者の身体に係合するように構成されたスペーサをさらに備える、請求項１に記載のリング固定器アセンブリ。
【請求項１１】
リング固定器アセンブリであって、
テンショナクランプを備え、前記テンショナクランプが、
その中にワイヤを受容するように構成された中央通路と、
前記中央通路内の所定位置に前記ワイヤを固定するように構成された締付部材と、
前記締付部材が前記ワイヤを所定位置に固定した後に、前記ワイヤに張力を適用するように構成された張力部材と、を備える、リング固定器アセンブリ。
【請求項１２】
前記締付部材が締付ネジを備え、前記張力部材が張力ネジを備え、前記締付ネジ及び前記張力ネジが、単一のドライバによって制御されるように構成される、請求項１１に記載のリング固定器アセンブリ。
【請求項１３】
前記テンショナクランプが、締付アセンブリを囲む筐体を備え、前記締付アセンブリが、
コレット筐体と、
前記コレット筐体内に少なくとも部分的に受容されたコレットと、を備え、
前記ワイヤが、前記コレット内の中央開口を通過し、
前記締付部材が、前記締付ネジの回転により前記コレットが前記コレット筐体に引き込まれ、それによって前記ワイヤを締め付けるように、前記コレットに螺着可能に係合された締付ネジを備える、請求項１１に記載のリング固定器アセンブリ。
【請求項１４】
前記張力部材が、前記張力ネジの回転により前記締付アセンブリが前記保持装置から引き離され、それによって前記ワイヤに張力を適用するように、前記筐体に螺着可能に係合され、かつ前記締付アセンブリに連結された張力ネジを備える、請求項１３に記載のリング固定器アセンブリ。
【請求項１５】
前記コレットが、前記コレット筐体に引き込まれたときに圧縮し、それによって前記ワイヤを締め付ける、圧縮可能な端部を備える、請求項１３に記載のリング固定器アセンブリ。
【請求項１６】
前記圧縮可能な端部が、間隙によって分離されたフレア部を備える、請求項１５に記載のリング固定器アセンブリ。
【請求項１７】
前記張力ネジが、前記締付ネジと同軸上にある、請求項１３に記載のリング固定器アセンブリ。
【請求項１８】
前記テンショナクランプが、締付アセンブリを囲む筐体を備え、前記締付アセンブリが、
それを通して前記ワイヤを受容する中央開口を有するクランプ本体と、
前記クランプ本体内のアパーチャであって、前記中央開口を横断するアパーチャと、を備え、
前記締付部材が、止めネジの回転により前記ワイヤに圧力を適用し、それによって前記ワイヤを前記クランプ本体内に締め付けるように、前記アパーチャ内に螺着可能に受容された前記止めネジを備える、請求項１１に記載のリング固定器アセンブリ。
【請求項１９】
前記張力部材が、張力ナットの回転により前記締付アセンブリが前記保持装置から引き離され、それによって前記ワイヤに張力を適用するように、前記締付アセンブリと螺着可能に係合され、かつ前記筐体に連結された前記張力ナットを備える、請求項１８に記載のリング固定器アセンブリ。
【請求項２０】
前記筐体内にあり、かつ前記クランプ本体の一部を囲むバネであって、前記クランプ本体を前記張力ナットから離して付勢するように構成されたバネをさらに備える、請求項１９に記載のリング固定器アセンブリ。
【発明の詳細な説明】
【技術分野】
【０００１】
本発明の技術は、概して、骨折した骨の安定化用固定器に関する。
【背景技術】
【０００２】
背景目的のために、リング固定器は、複雑かつ／または開いた骨折を治療すべき患者に対して使用される安定化装置である。リング固定器は、手足に対する支持を提供する外部足場に固定されたピン及びワイヤから構成される。これが、外傷または手足の復元中の（例えば、癒着を介して）骨及び関節を安定させることを可能にする。
【０００３】
リング固定器は、張力ピンまたはワイヤを介して骨に固定された複数のリングによって形成され得る。リング固定器は、それによって従来型の固定器では組織を安定させることができない、例えば重度の骨折部位（例えば、鉄砲傷を有する）において使用することができる。リング固定器は、骨または関節の安定化が完了するまで所定位置に維持することができ、その際、それらを取り外すことができる。
【発明の概要】
【０００４】
本発明の一態様では、リング固定器アセンブリを開示する。リング固定器アセンブリが、骨を囲むように構成されたリングと、リング上の第１の位置に配置された保持装置と、リング上の第２の位置に配置されたテンショナクランプと、保持装置とテンショナクランプとの間に延伸したワイヤとを含む。テンショナクランプが、テンショナクランプに対してワイヤを所定位置に固定するように構成された締付部材と、ワイヤに張力を適用するように構成された張力部材と、を含む。
【０００５】
本発明の別の態様では、リング固定器アセンブリ用テンショナクランプを開示する。テンショナクランプが、その中にワイヤを受容するように構成された中央通路と、中央通路内の所定位置にワイヤを固定するように構成された締付部材と、締付部材がワイヤを所定位置に固定した後にワイヤに張力を提供するように構成された張力部材とを含む。
【図面の簡単な説明】
【０００６】
【図１】リング固定器アセンブリの概略図である。
【図２】本発明の技術の実施形態による第１及び第２のテンショナクランプを含むリング固定器を図示している。
【図３Ａ】本発明の技術の実施形態により構成された第１のテンショナクランプの多様な図を示している。
【図３Ｂ】本発明の技術の実施形態により構成された第１のテンショナクランプの多様な図を示している。
【図３Ｃ】本発明の技術の実施形態により構成された第１のテンショナクランプの多様な図を示している。
【図３Ｄ】本発明の技術の実施形態により構成された第１のテンショナクランプの多様な図を示している。
【図４Ａ】本発明の技術の実施形態により構成された第２のテンショナクランプの多様な図を示している。
【図４Ｂ】本発明の技術の実施形態により構成された第２のテンショナクランプの多様な図を示している。
【図４Ｃ】本発明の技術の実施形態により構成された第２のテンショナクランプの多様な図を示している。
【図５】本発明の技術の実施形態による軟組織用スペーサを有するリング固定器を図示している。
【図６】本発明の技術の実施形態による迅速接続セグメントを有するリング固定器を図示している。
【発明を実施するための形態】
【０００７】
本開示は、改善されたリング固定器に関する。リング固定器の一例を図１に示している。リング固定器１０１が、患者の骨折した骨１０５ａ、１０５ｂを囲む複数のリング１０３ａ〜ｄを含む。複数のワイヤ１０７が、骨１０５ａ、１０５ｂを通過して、個々のリング１０３ａ〜ｄに渡って延伸し、それによって骨折した骨１０５ａ、１０５ｂに安定性を提供しながら同時に骨折した骨が治癒（例えば、癒着を介して）される。安定化（例えば、癒着を介して）が達成されるまで必要な限り長期間、リング固定器１０１を、患者に配置することが可能である。
【０００８】
図１に示されるように、リング固定器１０１のリング１０３ａ〜ｄの各々は、リング部材に取り付けられた１つ以上のワイヤ１０７を含むことができる。１つ以上のワイヤ１０７をそれら個々のリング部材１０３ａ〜ｄに取り付けるために、ワイヤの各々を、最初に、リング部材に（例えば、クランプ器具を介して）締め付けるだろう。取り付けに続いて、次に、１つ以上のワイヤ１０７を、緊張状態で（例えば、テンショナを介して）配置するだろう。これらのステップは、２つの器具、すなわち、取り付け用クランプ器具と、張力付与用テンショナとを包含するだろう。複数のステップを行うために２つの器具を使用することにより、外科医が、ワイヤを取り付けたリング上の各位置に対して、最初にクランプ器具を、次にテンショナを探さなければならないため、作業室での時間を消費し得る。
【０００９】
本開示は、クランプ器具及び個々の張力付与器具の両方を有する必要を低減する、クランプ及びテンショナの組み合わせ（「テンショナクランプ」）を利用する、改善されたリング固定器の実施形態に関する。有利に、一部の実施形態では、単一の器具を、テンショナクランプと共に使用することができ、それによって作業室での貴重な時間を節約することができる。図２〜６は、一部の実施形態による改善されたテンショナクランプの異なる実施形態を示している。具体的には、図２に示されるように、リング固定器アセンブリ２０１は、１種類以上のテンショナクランプを利用することができる。ワイヤ２０５に取り付けられた１つの種類のテンショナクランプ２０７ａ、２０７ｂを示し、ワイヤ２０９に取り付けられた第２の種類のテンショナクランプ２１１ａ、２１１ｂを示している。
【００１０】
図２は、リング２０３の周囲周りに固着された４つのテンショナクランプを有するリング固定器アセンブリ２０１（「リング固定器２０１」）のリング２０３を図示している。第１のワイヤ２０５が、第１の種類のテンショナクランプ２０７ａ、２０７ｂのうちの２つの間に延伸し、第２のワイヤ２０９が、第２の種類のテンショナクランプ２１１ａ、２１１ｂのうちの２つの間に延伸する。テンショナクランプ２０７及び２１１の各々が、ワイヤ２０５及び２０９を所定位置に締め付け、かつそれらを締め付けた後にワイヤ２０５及び２０９に張力を適用するように構成される。一部の実施形態では、締め付け及び張力付与の両方に対して単一の器具を使用することができ、それによって複数の器具に対する必要性を排除する。
【００１１】
第１及び第２のテンショナクランプ２０７及び２１１を下により詳細に記載する。図２に示された実施形態は、第１及び第２のテンショナクランプ２０７及び２１１を含むが、他の実施形態では、リング固定器は、１つの種類のみのテンショナクランプを含んでもよい。加えて、一部の実施形態では、単純な保持装置（例えば、追加の張力を適用することができないクランプ装置）によって、ワイヤを一端に固定しながら同時に、テンショナクランプによってワイヤを他方の端に固定することができる。追加の実施形態では、保持クランプという用語は、追加の張力を適用することができないクランプだけでなく、テンショナクランプにも適用され得る。第１のテンショナクランプ２０７を図３Ａ〜３Ｄに示し、第２のテンショナクランプ２１１を図４Ａ〜４Ｃに示している。図３Ａは、一部の実施形態によるワイヤ２０５に係合した第１のテンショナクランプ２０７の斜視図である。図示されるように、第１のテンショナクランプ２０７が、張力ネジ３０３と同軸上にある締付ネジ３０１を含む。第１のドライバ（図示せず）を使用して締付ネジ３０１を回転させ、それにより締付部材が内ワイヤ２０５を固定させることができる。次に、第２のドライバ（図示せず）を使用して張力ネジ３０３を回転させ、それにより内ワイヤ２０５に張力を適用することができる。他の実施形態では、単一のドライバを使用して締付ネジ３０１及び張力ネジ３０３の両方を制御し、それによって２つの個々のドライバに対する必要を低減することができる。他の実施形態では、単一の器具が、締付ネジ３０１を動作する第１のドライバと、張力ネジ３０３を動作する第２のドライバとを収容し、それによって有利に、単一の器具が締め付け及び張力付与の両方を行うことを可能にし得る。
【００１２】
図３Ｂ〜３Ｄは、第１のテンショナクランプ２０７の動作の異なる時点中のワイヤ２０５と係合された第１のテンショナクランプ２０７の側断面図を示している。具体的には、図３Ｂが、ワイヤ２０５を締め付ける前の第１のテンショナクランプ２０７を図示している。図３Ｃが、ワイヤ２０５を締め付けた後の第１のテンショナクランプ２０７を図示しており、図３Ｄが、ワイヤ２０５を締め付け、かつ張力付与した後の第１のテンショナクランプ２０７を図示している。
【００１３】
図３Ｂを参照すると、第１のテンショナクランプ２０７が、外部筐体３０７を含む。筐体３０７が、リング固定器のリングに固定して取り付けられるように構成され得る。筐体３０７内に、締付ネジ３０１の回転に応じてワイヤ２０５を所定位置に締め付ける締付アセンブリ３０９がある。締付アセンブリ３０９が、外部筐体３０７内に受容されたコレット筐体３１１と、コレット筐体３１１内に受容されたコレット３１３とを含む。コレット３１３が、その中にワイヤ２０５を受容する中央開口３１４を有し、かつ近位端部３１５及び近位端部３１５に対向する遠位端部３１７を含む。近位端部３１５が、締付ネジ３０１の対応するネジ山３１９と係合するように構成されたネジ山３１８を含む。遠位端部３１７が、コレット筐体３１１の傾斜面３２３と係合した圧縮可能な部材３２１を含む。
【００１４】
図３Ｃに図示されるように、動作中に、締付ネジ３０１を回転させ、コレット３１３がコレット筐体３１１に対して後退する。この後退中に、コレット３１３の圧縮可能な部材３２１が、コレット筐体３１１の傾斜面３２３と係合し、それによって圧縮可能な部材３２１がワイヤ２０５に内向きに加圧され、ワイヤ２０５を所定位置に効果的に締め付ける。図示された実施形態では、圧縮可能な部材３２１が、間隙によって分離された複数のフレア部３２５の形態を採り、その結果フレア部３２５がワイヤ２０５と接触するまで、コレット筐体３１１の傾斜面３２３との係合によって、これらのフレア部を共に径方向に内向きに引き込むことができる。
【００１５】
いったんワイヤ２０５が締付ネジ３０１の回転によって所定位置に締め付けられると、ワイヤ２０５は、張力付与され得る。図３Ｄを参照すると、張力ネジ３０３が、筐体３０７の内側面３３１上の対応するネジ山３２９と螺着可能に係合された遠位ネジ山３２７を含む。張力ネジ３０３の回転により、張力ネジ３０３が筐体３０７に対して後退する。張力ネジ３０３が、締付アセンブリ３０９と係合され、その結果張力ネジ３０３が筐体３０７に対して後退すると、締付アセンブリ３０９及び締付ネジ３０１も後退する。例えば、張力ネジ３０３の近位面３３３が、締付ネジ３０１のフランジ３３５と係合することができる。張力ネジ３０３は、内部ネジ山（図示せず）を介して締付アセンブリ３０９に係合され得る。したがって、張力ネジ３０３が筐体３０７から後退すると、張力ネジの近位面３３３が、締付ネジ３０１のフランジ３３５に接触し、それによって締付ネジ３０１（及び、それに応じて、締付アセンブリ３０９）が同様に後退する。締付アセンブリ３０９がワイヤ２０５上で締め付けられるため、締付アセンブリ３０９の後退が、ワイヤ２０５の張力を増加させる。
【００１６】
一部の実施形態では、バネ３３７が、コレット筐体３１１の遠位フランジ３３９と内側面３３１の係合面３４１との間のコレット筐体３１１周りに配置される。圧縮されると、このバネ３３７が、コレット筐体３１１（及び、それに応じて、締付アセンブリ３０９）を遠位方向に不勢する。バネ３３７によって提供されたこの相殺力が、張力ネジ３０３の回転中にワイヤ２０５に適用された張力の量における改善された制御を提供することができる。図４Ａ〜４Ｃは、一部の実施形態による第２のテンショナクランプ２１１の側断面図を示している。第２のテンショナクランプ２１１が、第２のテンショナクランプ２１１の動作の異なる時点中のワイヤ２０９に係合される。具体的には、図４Ａが、ワイヤ２０９を締め付ける前の第２のテンショナクランプ２１１を図示している。図４Ｂが、ワイヤ２０９を締め付けた後の第２のテンショナクランプ２１１を図示しており、図４Ｃが、ワイヤ２０９を締め付け、かつ張力付与した後の第２のテンショナクランプ２１１を図示している。
【００１７】
第２のテンショナクランプ２１１が、締め付け及び張力付与機能の組み合わせを提供することによって、図３Ａ〜３Ｄに関して上に記載した第１のテンショナクランプ２０７と類似する多くの特徴を利用することができる。しかしながら、テンショナクランプ２１１の特定の構成が、ワイヤ２０９を締め付けかつそれに張力付与する代替的な機構を利用し、異なっている場合がある。
【００１８】
図４Ａを参照すると、第２のテンショナクランプ２１１が、締付アセンブリ４０９を囲む外部筐体４０７を含む。外部筐体４０７が、リング固定器のリングに固定して連結されるように構成され得る。締付アセンブリ４０９が、そこを通るワイヤ２０９を受容する中央開口４１３を有するクランプ本体４１１を含む。クランプ本体４１１内の径方向のアパーチャ４１５が、中央開口４１３に対して横方向に配向される。例えば、一部の実施形態では、アパーチャ４１５が、中央開口４１３に対して垂直であり得る。締付ネジ４１７（例えば、止めネジ）が、図４Ｂに図示されるように、アパーチャ４１５と螺着可能に係合され、かつワイヤ２０９に下向きの圧力を適用するように回転するように構成され得る。締付ネジ４１７のこの位置への回転により、締付アセンブリ４０９に対してワイヤ２０９を所定位置に締め付けることができる。
【００１９】
図４Ｃを参照すると、第２のテンショナクランプ２１１が、クランプ本体４１１と螺着可能に係合された張力ナット４１９を含み、その結果張力ナット４１９の回転により、クランプ本体４１１が筐体４０７に対して後退され、それによってワイヤ２０９に張力を適用する。一部の実施形態では、第２のテンショナクランプ２１１が、クランプ本体４１１の一部を囲み、かつクランプ本体４１１が筐体４０７に対して後退されたとき、クランプ本体４１１を張力ナット４１９から離して付勢するように構成されたバネ４２１をさらに含む。バネ４２１によって提供されたこの相殺力が、ワイヤ２０５に適用された張力の量において改善された制御を提供することができる。
【００２０】
動作時に、第１のドライバ（図示せず）を使用して締付ネジ４１７を回転させ、それによって、ワイヤ２０９を十分な圧力で加圧してワイヤ２０９を所定位置に締め付けるまで、締付ネジ４１７がアパーチャ４１５を通して下向きに螺合され得る。次に、第２のドライバ（図示せず）を使用して張力ナット４１９を回転させ、それによってワイヤ２０９に張力を適用させることができる。張力ナット４１９を回転させて、ワイヤ２０９に適用された張力を徐々に増加及び減少させることができる。所望の張力がワイヤ２０９に適用されるまで、張力ナット４１９を回転させることができる。張力ナット４１９の対向方向での回転により、ワイヤ２０９に対する張力を減少させる。他の実施形態では、単一のドライバを使用して締付ネジ４１７及び張力ナット４１９の両方を制御し、それによって２つの個々のドライバに対する必要を低減することができる。他の実施形態では、単一の器具が、締付ネジ４１７を動作する第１のドライバ、及び張力ナット４１９を動作する第２のドライバを収容し、それによって有利に、単一の器具が締め付け及び張力付与の両方を行うことを可能にし得る。
【００２１】
多くの場合、リング固定器を患者に取り付けるとき、１人の個人がリングを保持しながら同時に、別の個人が患者を通してワイヤを延伸させなければならない。個人がリングを保持しないと、リング固定器が滑って、適用中に係合解除される可能性がある。その中に形成された軟組織用スペーサをリングに提供することで、患者上にリングを保持する助けとなり得ることを発見した。軟組織用スペーサが、有利に、取り外し可能であるように設計されており、その結果いったんリング固定器のリングを所定位置に置くと、それを取り外すことが可能である。かかる軟組織用スペーサを提供することによって、これが、リング固定器の取り付け中にリングを保持しなければならない個人に対する依存度を低減する。
【００２２】
図５は、リング５０３及びリングに連結されたスペーサ５０５を有するリング固定器５０１の斜視図を示している。リングに連結されたスペーサ５０５が、取り付け中にリングを保持する者に依存する必要を低減することができる。一部の実施形態では、スペーサ５０５が、発泡体または他の軟材料から作製され得、患者の身体に係合するようにリング５０３から径方向に内向きに延伸させることができる。その中に形成された軟組織用スペーサ５０５をリング５０３に提供することによって、有利に、リング固定器を適用しながら同時に、追加の人に所定位置でリングを保持させる必要を低減する。加えて、スペーサ５０５が軟材料（例えば、発泡体）から作製されるため、これが、取り付け中の患者にさらなる快適さを提供する。軟組織用スペーサ５０５は取り外し可能であり得、その結果いったんリング固定器５０１を所定位置に置くと、スペーサ５０５を取り外すことができる。軟組織用スペーサ５０５が、接着剤を介して、またはリング内の開口に挿入可能である、こぶ／突起を介して、リング５０３に取り付けられ得る。一部の実施形態では、スペーサ５０５が、接着剤を介して、またはリング内の開口に挿入可能である、こぶ／突起を介して、リングに取り付けられ、それによってスペーサ５０５を取り付け、かつリングから取り外すことを容易にすることができる。
【００２３】
図５に示されるように、１つ以上のスペーサ５０５が、リングの内壁の異なるセグメントに取り付けられ得る。本発明の実施形態では、第１のスペーサがリングの一方の側に取り付けられ、第２のスペーサがリングの第２の側に取り付けられる。第２のスペーサから独立している第１のスペーサを提供することによって、これが、リング内のスペーサの取り付けの容易さを促進する。加えて、図５に示されるように、スペーサの各々は、凹部を含むことができる。これらの凹部は、患者に接触することができ、かつ有利に、多様な患者の身体を収容する助けとなり得る。
【００２４】
多くの場合、リング固定器のリング（例えば、２つの半円から構成される）が、ボルトまたはネジを介して患者に取り付けられ得る。リング固定器が複数のリングから構成されるため、作業を行う時間を消費する可能性がある。リング固定器のリングを患者に迅速に取り付けることを可能にする多様な迅速接続機構を提供することによって作業時間を低減することが可能であることを発見した。
【００２５】
図６は、迅速接続部品６０７によって接合された第１及び第２の部材６０３及び６０５を有するリング６０１を図示している。図６に示す迅速接続部品６０７は、有利に、第１及び第２の部材６０３及び６０５を共に迅速に固定することを可能にする。図示された実施形態では、迅速接続部品６０７が、ピン６０９及びその中にピン６０９を受容する対応する凹部６１１を含む。迅速接続部品６０７は、嵌合可能なノッチ及び突起、溝及びこぶなどの多様な他の形態を採り得る。一部の実施形態では、迅速接続部品６０７は、機械嵌合機構に加えて、またはその代わりに、磁気保持機構を含むことができる。一部の実施形態では、２つの部材６０３及び６０５が、従来型のネジに加えてこれらの迅速接続部品６０７を使用して接続され、それによって最初にリング固定器を患者に適用しながら２つの部材６０３及び６０５を共に迅速に固定し、さらに後の段階でネジの使用を通してより剛性な固定を適用することを可能にする方法を形成することができる。
【００２６】
実施形態の多くがリング固定器用装置、システム及び方法に関して上に記載されるが、他の実施形態が本発明の技術の範囲内にある。さらに、本発明の技術の他の実施形態は、本明細書で記載されたものとは異なる構成、部品、及び／または工程を有し得る。例えば、他の実施形態は、本明細書で記載されたものを超える追加の要素及び特徴を含み得、あるいは他の実施形態は、本明細書で示され、かつ記載された要素及び特徴のうちのいくつかを含まない場合がある。具体的には、リング固定器は、棒固定器を含む他の種類の固定器と組み合わされ、かつそれと共に使用され得る。加えて、リング固定器が、それらに限定されるものではないが、板、棒、及びネジを含む骨折を治癒するのに使用される多様な部品と共に使用され得る。
【００２７】
本技術の実施形態についての上の詳細な記載は、網羅的であるとか、または本技術を上に開示された精確な形態に限定することを意図していない。本技術の特定の実施形態、及び本技術に対する実施例が、図示の目的のために上に記載されるが、当業者が認識するように、本技術の範囲内で多様な等価的な変形が可能である。例えば、ステップが所与の順序で提示されているが、代替的な実施形態は、異なる順序でステップを行われ得る。本明細書に記載された多様な実施形態を組み合わせて、さらなる実施形態を提供し得る。
【００２８】
以上により、本発明の特定の実施形態が、図示の目的のために本明細書で記載されているが、本技術の実施形態の記載を不必要に不明確にすることを避けるために、よく知られている構造及び機能が詳細に示され、または記載されていることが理解されるだろう。文脈が許す限り、単数形または複数形の用語はまた、それぞれ複数形または単数形の用語を含み得る。
【００２９】
さらに、「または」という単語は、２つ以上の物品のリストを参照して他の物品から除外した単一の物品のみを意味するものと明示的に限定されない限り、かかるリスト内での「または」の使用は、（ａ）リスト内の任意の単一の物品、（ｂ）リスト内の物品の全て、もしくは（ｃ）リスト内の物品の任意の組み合わせを含むものとして解釈されるべきである。さらに、「備える」という用語は、任意のより大きい数の同じ特徴及び／または追加の種類の他の特徴を除外しないように、少なくとも列挙された特徴を含むことを意味するものとして全体を通して使用される。特定の実施形態が図示の目的のために本明細書で記載されるが、本技術から逸脱することなく多様な変形を行い得ることも理解されるだろう。さらに、本技術の一定の実施形態と関連する利点が、これらの実施形態の文脈内で記載されるが、他の実施形態が、かかる利点を示す場合もあり、また必ずしも全ての実施形態が、本技術の範囲内に該当するかかる利点を示す必要はない。よって、本開示及び関連する技術が、本明細書で明示的に示され、または記載されていない他の実施形態を包含し得る。
【先行技術文献】
【特許文献】
【００３０】
【特許文献１】米国特許第４９３６８４３号明細書
【特許文献２】米国特許第４７８４１２５号明細書
【特許文献３】米国特許第６６５９９７２号明細書
【特許文献４】米国特許出願公開第２０１５／０１２７０９３号明細書
【特許文献５】米国特許第５７２８０９５号明細書
【特許文献６】米国特許第５７４６７４１号明細書
【特許文献７】米国特許第５９２８２３０号明細書
【特許文献８】米国特許第８８５８５５５号明細書
【特許文献９】米国特許第８９４５１２８号明細書
【特許文献１０】米国特許第８９５１２５２号明細書
【図１】
2017159036.tif 000003
【図２】
2017159036.tif 000004
【図３Ａ】
2017159036.tif 000005
【図３Ｂ】
2017159036.tif 000006
【図３Ｃ】
2017159036.tif 000007
【図３Ｄ】
2017159036.tif 000008
【図４Ａ】
2017159036.tif 000009
【図４Ｂ】
2017159036.tif 000010
【図４Ｃ】
2017159036.tif 000011
【図５】
2017159036.tif 000012
【図６】
2017159036.tif 000013
【外国語明細書】
2017159036000001.pdf